(57)【要約】      （修正有）【課題】骨盤床筋群を鍛えたり膣筋などの感覚の開発訓練が行えるようなマッサージ具に関して、振動刺激とは異なる刺激を与えたり、膣への挿着が確実に行われて押し出されることがなく、挿着した状態の姿勢を安定的に持続し得るような、新規なマッサージ具を提供する。【解決手段】上側の座面１１、後側の腰宛て１２、座面のほぼ中心部に開口された開口部１３、この前方に突設された前宛て２、開口部１３より突出する往復部材３とから構成された椅子１に電動モータが収められ、電動モータのシャフトに設けた回転盤にクランクとコネクティングロッドとが取り付けられ、コネクティングロッドには垂直設置の作動桿が連結され、作動桿に膣に挿着される部材である往復部材３が着脱自在に取り付けられて、電動モータの回転運動が往復部材３の往復運動に変換されるようにした。【選択図】図１
0003203544.tif 000002
【実用新案登録請求の範囲】
【請求項１】
椅子内に電動モータが収められており、椅子の座面に開口された開口部から往復部材がほぼ垂直に突出するように且つ往復動可能となるように設けられており、前記電動モータのシャフトの回転を前記往復部材の往復運動に替える運動変換器を内蔵するマッサージ器であって、前記椅子には座面に腰かけた時に臀部が後ろにずれるのを阻止するための後方滑り防止突部が設けられていると共に臀部が前にずれるのを阻止するための前方滑り防止突部が設けられていると共に、前記往復部材と前記運動変換器との間には前記往復部材の着脱手段を備えていることを特徴とする、往復運動を行うマッサージ具。
【請求項２】
さらに前記前方滑り防止突部に振動発生器が内蔵されており、この振動発生器は、電動モータとこの振動発生用電動モータのシャフトに偏心状態で取り付けられた錘とから成るものである、請求項１に記載の往復運動を行うマッサージ具。
【請求項３】
さらに前記往復部材に振動発生器が内蔵されており、この振動発生器は、電動モータとこの振動発生用電動モータのシャフトに偏心状態で取り付けられた錘とから成るものである、請求項１に記載の往復運動を行うマッサージ具。
【考案の詳細な説明】
【技術分野】
【０００１】  この考案は、椅子の頂部に垂直に設けた往復部材の往復運動によって、新感覚の刺激を与えることが出来る感覚開発訓練用具としてのマッサージ具に係り、特に腟のような器官に挿着してこれを内側から刺激することにより骨盤床筋や膣筋を鍛錬するのに好適な形態のマッサージ具に関する。
【背景技術】
【０００２】  腟壁に挿着して使用する略陰茎形状のマッサージ具としては、従来より単純構造の棒状のものや、電動モータとこの電動モータのシャフトに偏心状態で取り付けられた錘とから成る振動発生器（バイブレータ）を内蔵する棒状のものなどが用いられて来た。【０００３】  特表２００３−５１４６０８号は、膣または直腸に挿着するプローブ内にバイブレータを備えた骨盤床筋を鍛錬するための装置であって、バイブレータによる骨盤床筋の収縮が起こったら、プローブ内のセンサによって収縮の力を計測することで、骨盤床筋を鍛錬しようと言うものであり、尿失禁または便失禁の治療または予防のために用いられるものである。
【先行技術文献】
【特許文献】
【０００４】
【特許文献１】特表２００３−５１４６０８号公報
【考案の概要】
【考案が解決しようとする課題】
【０００５】  ところが上述したような単純構造の棒状のものでは挿着感しか与えることが出来ない。また内部に振動発生器を内蔵するものでは振動刺激しか与えることが出来ない。また特表２００３−５１４６０８号のプローブは単に膣や直腸に挿着するだけのものであるから、骨盤床筋の収縮によって膣や直腸から押し出されることがあり、挿着が確実に行われない問題がある。なお上記従来例の何れにあっても挿着が安定しないことには骨盤床筋の鍛錬を落ち着いて行うことが出来ない。【０００６】  そこで当考案者は、腟のような器官に挿着しこれを内側から刺激して骨盤床筋群を鍛えたり、膣筋などの感覚の開発訓練に当たって振動刺激とは異なる刺激を与えたり、膣への挿着が確実に行われて押し出されることがないような、そして挿着を安定的に持続し得るようなこれまでにはないマッサージ具を提供したいものと考えた。
【課題を解決するための手段】
【０００７】  上記課題の解決に先立ち当考案者は、上記プローブを棒状のものに形成して上方に向く姿勢を取らせ、これに上から腰を落とし被さるように挿着すれば、挿着状態が確実に維持されて膣器官から押し出されることがないと言う知見を得た。しかしながら上述した棒状のプローブの形状や長さにはその適否に個人差があり、また治療や訓練の間中ずっと上述したような腰を落とした体勢を続けるのは苦痛であり、治療や訓練に集中出来ず、訓練を続けることが難しいことが分かった。すなわち、このような新たな課題の解決を迫られたのである。【０００８】  上記課題は、椅子内に電動モータが収められており、椅子の座面に開口された開口部から往復部材がほぼ垂直に突出するように且つ往復動可能となるように設けられており、前記電動モータのシャフトの回転を前記往復部材の往復運動に替える運動変換器を内蔵するマッサージ器であって、前記椅子には座面に腰かけた時に臀部が後ろにずれるのを阻止するための後方滑り防止突部が設けられていると共に臀部が前にずれるのを阻止するための前方滑り防止突部が設けられていると共に、前記往復部材と前記運動変換器との間には前記往復部材の着脱手段を備えていることを特徴とする、往復運動を行うマッサージ具とすることによって達成される。なお電源スイッチ部や電動モータの往復動制御部は上記椅子に設けるようにしても良く、椅子とは別にリモコンを付属させてこれに電源スイッチ部や電動モータの往復動制御部を設けるようにしても良い。また電源部には家庭用電源や、ここから充電する二次電池や、乾電池などを用いることが出来る。【０００９】  骨盤床筋や膣筋を鍛錬すべく往復部材を腟器官に挿着しようとすると、訓練者は自然に椅子の座面に「腰掛ける」ことになる。この状態で往復部材を動作させるようにするのである。このように本考案では訓練者が椅子の座面に腰掛けるようにしたので、体重は椅子に預けられて、座った体勢を長時間安定的に保つことが出来る。往復部材が往復動作を行なうことで膣壁の収縮が誘発されて往復部材が膣口から押し出されやすくなるが、椅子に腰を下ろしていることからそのような心配もない。更に腰掛け姿勢では訓練の間中両手が空くので安全で楽である。なお椅子に腰掛けた状態では、人体は前後にやや不安定になる嫌いがあるが、後方滑り防止突部が設けられていることによって腰掛姿勢が後方にずれる心配が少なく、前方滑り防止突部が設けられていることによって腰掛姿勢が前方にずれる心配が少なくなる。往復部材が挿着された腟器官にとっては、前後方向に引かれるような負荷が小さくて良い。これ等の相乗効果によって体重を椅子に預けた時に腰の位置が安定し、この結果治療や訓練を安心して集中して続けることが可能になった。【００１０】  また往復部材と運動変換器との間に、往復部材の着脱手段を備えている。膣器官に挿着される往復部材の形状や長さにはその適否に個人差があるため、自分に合う形状や長さの往復部材を幾種類か用意しておいて、これ等を上記着脱手段を以て自由に取り換えられるようにしておくのは良いことである。或いはその日その時の気分などでも往復部材が取り替えられると便利である。なお当然のことながら複数個の往復部材はどれも、���動変換器との間で着脱対応が可能なものとなっている。【００１１】  膣器官に挿着された往復部材は、膣壁を前後（膣口から膣奥方向）に擦るようにして、膣や骨盤床筋群に刺激を与えることが出来る。往復部材の往復運動は、電動モータの回転運動を運動変換器に通すことによって得られる。従って従来の振動刺激とは異なる刺激を膣や骨盤床筋群に与えることが出来る。この運動変換器に付いては任意に設計して良い。また往復部材は椅子の座面に開口された開口部から突出するように設けられるが、座面に対する往復部材の突出角度の手動調節が可能であるように角度調節部を設ける設計にすることが出来る。或いは例えば電動モータと往復部材とのリンクを司る運動変換器にリンク部材の角度を変えるための角度変更手段を設けるなどして、往復運動中に往復部材の突出角度が自動的に変わるように構成しても良い。上記何れの場合でも膣壁への刺激を、往復部材の角度が固定されている時と比較してより複雑なものにし得る効果が得られる。【００１２】  なお膣の訓練と言うと自とく具を思われるやも知れない。しかしながらこの考案のマッサージ具はそのような公序良俗を乱す商品であると考える必要はない。例えば女性が出産を経験すると、膣が閉まりにくくなり、風呂上がりに膣からお湯が出て来る、尿漏れがある、夫婦生活で膣を締めることが出来ず双方に不満が残る、などの現実的かつ深刻な問題を抱えるようになる場合がある。この問題に対処するための膣の訓練が医学誌や女性誌などで繰り返し奨励されている。この考案のマッサージ具は斯様に切実な社会的要請に応えることが出来るのである。【００１３】  一方、日本特許第５２６１３８２号の精子採取装置では、出願人の男性側に於ける同種の主張が認められていることをここに付記する。【００１４】  次に、更に前記前方滑り防止突部に振動発生器が内蔵されており、この振動発生器は、振動発生用電動モータとこの振動発生用電動モータのシャフトに偏心状態で取り付けられた錘とから成るものとしても良い。腰掛姿勢を前方にずらさないようにする前方滑り防止突部が振動することによって、往復部材とは異なる刺激を外部から与えることが出来る。これは膣の入口の周辺に従来の振動刺激を与えるための手段でもある。【００１５】  次に、更に前記往復部材に振動発生器が内蔵されており、この振動発生器は、振動発生用電動モータとこの振動発生用電動モータのシャフトに偏心状態で取り付けられた錘とから成るものとしても良い。この考案は従来の振動刺激によるマッサージを否定するものではなく、より良い製品を提供しようとするものであるため、上述のようなこの考案に独自の優れた作用効果に加えて、従来の振動刺激による効果を加味したのである。
【考案の効果】
【００１６】  この考案によれば、往復部材を腟のような器官に挿着してこれを内側から刺激して骨盤床筋群を鍛えたり、膣筋などの感覚の開発訓練に当たって振動刺激とは異なる刺激を与えたりすることが出来るのであるが、この際に膣への挿着が確実に行われて押し出されることがなく、体勢を長時間安定的に保つことが出来、治療や訓練を安心して集中して続けることが可能になっている。また自分に合う形状や長さの往復部材を幾種類か用意しておくことで、往復部材の取り換えが自由に行い得るようになる。
【図面の簡単な説明】
【００１７】
【図１】  実施例１の斜面視による説明図である。
【図２】  内部構造の模式的な説明図である。
【図３】  電動モータ４周りをブロック図にて表した説明図である。
【図４】  実施例２のコントローラ６の説明図である。
【図５】  実施例３の斜面視による説明図である。
【図６】  実施例４の内部構造の模式的な説明図である。
【考案を実施するための形態】
【実施例１】
【００１８】  図１乃至図３によってこの実施例のマッサージ具を説明する。合成樹脂製の椅子１は、底側の接地部１０、上側の座面１１、後方滑り防止突部としての後側の腰宛て１２、上記座面のほぼ中心部に開口された開口部１３、この開口部１３の前方の中央部分に突設された前方滑り防止突部としての前宛て２、上記開口部１３よりほぼ垂直に突出する往復部材３、とから構成されている。接地部１０によって椅子１は床面に安定的に置かれる。【００１９】  図２はこの内部構造を模式的に表したものであるが、上記椅子１内には電動モータ４が収められており、電動モータ４のシャフトに取り付けられた回転盤４０にクランク４１とコネクティングロッド４２とが取り付けられており、このコネクティングロッド４２には垂直設置の作動桿４３が連結されて、電動モータ４のシャフトの回転運動が作動桿４３の往復運動に変換されるように構成されている。そしてこの作動桿４３の先側に挿着溝４４が形成されており、ここに膣に挿着される部材である所の往復部材３が、その下端部にある挿着突起３０を以て着脱自在に、すなわち交換自在となるように取り付けられている。なお図３に表したように、電動モータ４はモータ制御部５によって駆動される。またこれ等には電源スイッチをＯＮにすることによって家庭用電源に接続された電源アダプタ５０から電力が供給される。なおモータ制御部５や電源アダプタ５０や上記電源スイッチなどは椅子１内に納められている（図示せず）。なお電動モータ４のシャフトの回転を往復部材３の往復運動に替える運動変換器に関しては、上述のもの以外にも自由に設計することが可能である。また挿着突起３０は挿着溝４４にきつく押し込まれて止められるが、両者に螺子を切って両者が螺合するように構成することが出来、この着脱手段に付いても自由に設計して良い。【００２０】  この実施例の特徴は、椅子１の座面１１の後側の腰宛て１２と前宛て２とにある。椅子１は跨ぐような姿勢から前に膝を揃える姿勢までの間で足を置く位置を決めつつ、臀部を落とすことになる。臀部は座面１１によって受けられ、座った体勢を長時間安定的に保つことが出来る。この際に後側の腰宛て１２の突部によって臀部の後方滑りが阻止され、また前側の前宛て２の突部によって人体解剖図で表される所の恥骨が押さえられて、臀部の前方滑りが阻止される。ユーザーにとっては左右方向の姿勢制御は比較的に容易なことであるが、前後方向の姿勢はどうしても不安定になり勝ちである。しかしながらこの実施例の椅子１では、後側の腰宛て１２と前側の前宛て２とによって臀部の姿勢が安定させられるので、腰掛けていて安心である。また椅子１に腰かけた状態と言うのは上記開口部１３よりほぼ垂直に突出する往復部材３を腟器官に挿着している状態であるから、腰が安定せずに前後方向にずれるようであると膣口には不本意な力が加えられてしまう。しかしながらこの椅子１によれば、後側の腰宛て１２と前側の前宛て２とにより臀部の前後方向へのずれが抑えられるので、膣口に負荷が掛かりにくく不快な力が加わりにくくて良い。【００２１】  さて清潔にした往復部材３を膣器官に挿着するようにしつつ座面１１に腰を落とすようにして、臀部を後側の腰宛て１２と前側���前宛て２とにより安定させたら、図示せぬ電源スイッチをＯＮにする。するとモータ制御部５が電源アダプタ５０から電力の供給を受けて電動モータ４を動作させる。電動モータ４が回転してその回転運動は往復部材３の往復運動となり、この往復部材３が膣壁を前後に擦って膣や骨盤床筋群に刺激を与えることになる。なおこの刺激によって膣壁の収縮が誘発されて往復部材３が膣口から押し出されやすくなるが、椅子１に腰を下ろしていることからそのような心配もない。更に腰掛け姿勢では訓練の間中両手が空く。このようにしてユーザーは安定安全安心の内にこの椅子１を使用することが出来るのである。【００２２】  なお必要に応じていま挿着している往復部材３を、その挿着突起３０を以て作動桿４３の挿着溝４４から取り外して、異なるタイプの往復部材と交換することが可能である。
【実施例２】
【００２３】  図４はこの実施例のコントローラ６を表したものである。上述した実施例１では椅子１内にモータ制御部５（図示せず）を設けていた。これに対して実施例２では、このモータ制御部５の制御を高度化すると共に、手で操れるコントローラ６を設けている。【００２４】  すなわちこのコントローラ６は、マッサージ具の本体に接続するための電線６５とコンセントに接続するための電線６６とを備え、また電線６６の先には図示しない電源プラグを備えている。符号６０は電源ボタンであり、電源ボタン６０は一度押すとＯＮであり、二度目に押すとＯＦＦとなる言わばトグル式である。ＯＮ時にはＬＥＤの電源ライト６３が点灯する。アップボタン６２とダウンボタン６１との間には、往復部材３の往復運動の早さの段階を示すＬＥＤのインジケータ６４が設けられている。往復部材３の往復運動はアップボタン６２を押すごとに早くなり逆にダウンボタン６１を押すごとに遅くなるように設計されている。すなわちこのような各種制御を行うモータ制御部をコントローラ６は内蔵している。この実施例では、電源ボタン６０、ダウンボタン６１、アップボタン６２にメンブレンスイッチを用いている。なお電源ボタン６０は電源ＯＮ／ＯＦＦのトグル式であるが、さらにこれに往復運動のリズムを切り替えるための機能を付与するようにしても良い。するとリズム往復動の種類ごとにダウンボタン６１とアップボタン６２とを作用させ得る。
【実施例３】
【００２５】  図５によりこの実施例を説明する。このものはその殆どの構成を上述の実施例１に倣うものであるが、さらに座面１１の開口部１３の前方の中央部分に突設された前方滑り防止突部としての前宛て２の内部に、次に述べるような振動発生器を内蔵している点に特徴を有する。この振動発生器は電動モータ７とこの電動モータ７のシャフトに偏心状態で取り付けられた錘７０とから成るものである。錘７０を回転させることで強い振動を発生させることが出来る。図示はしないが、この電動モータ７にも電力が供給されるように構成されている。【００２６】  腰掛姿勢を前方にずらさないようにする前方滑り防止突部としての前宛て２が振動することによって、往復部材３とは異なる刺激を外部から与えることが出来る。これは膣口の周辺に振動刺激を与えるための手段である。このように前宛て２が振動発生器を内蔵することで２種の作用効果を同時に発揮することが出来る。
【実施例４】
【００２７】  図６によってこの実施例を説明する。このものはその殆どの構成を上述した実施例１に倣うものであるが、更に座面１１の開口部１３より突出する往復部材３の中に、振動発生用の電動モータ７とこの電動モータ７のシャフトに偏心状態で取り付けられた錘７０とから成る振動発生器を内蔵している。錘７０を回転させることにより強い振動を発生させることが出来る。なおこの電動モータ７には、挿着突起３０の下端部に設けた接続端子３１を介して電力が供給されるように構成されている。【００２８】  膣器官に挿着された往復部材３が膣壁を前後に擦って膣や骨盤床筋群に刺激を与えるのであるが、この際に従来からの振動刺激による作用効果が加味される。
【産業上の利用可能性】
【００２９】  この考案のマッサージ具は、医療用のみならず個人の訓練用として構成することが可能である。
【符号の説明】
【００３０】１  椅子                        １０接地部
１１座面                        １２腰宛て
１３開口部
２  前宛て
３  往復部材                    ３０挿着突起
３１接続端子
４  電動モータ                  ４０回転盤
４１クランク                    ４２コネクティングロッド
４３作動桿                      ４４挿着溝
５  モータ制御部                ５０電源アダプタ
６  コントローラ                ６０電源ボタン
６１ダウンボタン                ６２アップボタン
６３電源ライト                  ６４インジケータ
６５電線                        ６６電線
７  電動モータ                  ７０錘
【図１】
0003203544.tif 000003
【図２】
0003203544.tif 000004
【図３】
0003203544.tif 000005
【図４】
0003203544.tif 000006
【図５】
0003203544.tif 000007
【図６】
0003203544.tif 000008